(57)【要約】      （修正有）【課題】吸入した内容物への異物混入を抑制すると共に、所望量の内容物を注出して、異物の影響を受けることなく内容物の検査を正確に行うことのできる検査キットを提供する。【解決手段】内容物Ｗが収容される収容容器２と、収容容器の内側に離脱自在に組み合わされ、内容物を吸入及び注出可能な計量器３とを備え、計量器は、連通開口３１が形成されたシリンジ３０と、シリンジ内に軸方向に摺動自在に挿入されたプランジャ４０と、内容物を濾過するフィルタ５１を有し、該フィルタが連通開口を覆うようにシリンジに離脱自在に外嵌された濾過筒５０とを備え、収容容器の内側には、計量器が差し込まれたときに濾過筒を係止し、且つ計量器が収容容器から離脱するときに、係止した濾過筒をシリンジから離脱させる保持部１３が設けられている検査キット１を提供する。【選択図】図９
2015125123.tif 000002
【特許請求の範囲】
【請求項１】
内容物が収容される収容容器と、
前記収容容器の内側に離脱自在に組み合わされ、前記内容物を吸入及び注出可能な計量器と、を備え、
前記計量器は、
前記内容物を吸入及び注出させる連通開口が先端部に形成されたシリンジと、
前記シリンジ内に軸方向に摺動自在に挿入されたプランジャと、
前記内容物を濾過するフィルタを有し、該フィルタが前記連通開口を覆うように前記シリンジに離脱自在に外嵌された濾過筒と、を備え、
前記収容容器の内側には、前記計量器が差し込まれたときに前記濾過筒を係止し、且つ前記計量器が前記収容容器から離脱するときに、係止した前記濾過筒を前記シリンジから離脱させる保持部が設けられていることを特徴とする検査キット。
【請求項２】
請求項１に記載の検査キットにおいて、
前記シリンジ及び前記プランジャのうちのいずれか一方には、他方に形成された被係止部に係止されることにより、前記シリンジ及び前記プランジャの相対的な軸方向の移動量を規制する規制部が形成されていることを特徴とする検査キット。
【請求項３】
請求項１又は２に記載の検査キットにおいて、
前記収容容器の内側には、前記濾過筒が係止されることにより、前記収容容器及び前記計量器を相対的に位置決めさせる位置決め部が設けられていることを特徴とする検査キット。
【発明の詳細な説明】
【技術分野】
【０００１】
本発明は、検査キットに関する。
【背景技術】
【０００２】
所望する量の内容物を注出する注出器として、例えば下記特許文献１に記載されているような、内部に内容物が収容されるシリンジと、シリンジ内に挿入されるプランジャと、シリンジに螺合されてプランジャの移動量を調整する調整部材と、を備えた定量分与器が知られている。
この定量分与器によれば、調整部材を回転させることで、プランジャの移動量を適宜変更することが可能とされているので、所望する量の内容物の注出を行える。
【先行技術文献】
【特許文献】
【０００３】
【特許文献１】特開平９−２２５０３１号公報
【発明の概要】
【発明が解決しようとする課題】
【０００４】
ところで、用途によっては、予めシリンジ内に収容されている内容物を注出するのではなく、シリンジ内に内容物を吸入した後、内容物を注出することが求められる場合があった。ところが、従来の注出器では、内容物に塵埃等の異物が含まれている場合、異物を含んだまま内容物を吸入するおそれがあり、改善の余地が残されていた。しかも、吸入後に所望する量の内容物を注出したとしても、異物が混在する分だけ純粋な内容物の量が変化するので、正確な量の内容物を注出できない場合があった。
【０００５】
本発明は、このような事情に鑑みてなされたものであって、その目的は、吸入した内容物に異物が混入することを抑制することができると共に、所望する量の内容物を注出して、異物の影響を受けることなく内容物の検査を正確に行うことができる検査キットを提供することである。
【課題を解決するための手段】
【０００６】
上記の目的を達成するために、この発明は以下の手段を提供している。
（１）本発明に係る検査キットは、内容物が収容される収容容器と、前記収容容器の内側に離脱自在に組み合わされ、前記内容物を吸入及び注出可能な計量器と、を備え、前記計量器は、前記内容物を吸入及び注出させる連通開口が先端部に形成されたシリンジと、前記シリンジ内に軸方向に摺動自在に挿入されたプランジャと、前記内容物を濾過するフィルタを有し、該フィルタが前記連通開口を覆うように前記シリンジに離脱自在に外嵌された濾過筒と、を備え、前記収容容器の内側には、前記計量器が差し込まれたときに前記濾過筒を係止し、且つ前記計量器が前記収容容器から離脱するときに、係止した前記濾過筒を前記シリンジから離脱させる保持部が設けられていることを特徴とする。
【０００７】
本発明に係る検査キットによれば、連通開口を覆うフィルタを備えているので、シリンジの先端部を内容物中に浸漬させた状態でプランジャをシリンジに対して後退させることで、内容物を、フィルタを通過した後に連通開口を通してシリンジ内に所定量吸入することができる。従って、仮に内容物に異物が含まれている場合であっても、異物をフィルタで濾過して除去することができ、異物の混入が抑制された内容物だけをシリンジ内に吸入することができる。
【０００８】
内容物の吸入後、収容容器から計量器を引き上げると、保持部が濾過筒を係止により保持しているので、濾過筒をシリンジから離脱させることができる。これにより、計量器のうちシリンジ及びプランジャだけを、収容容器から引き上げることができる。その後、プランジャをシリンジに対して前進させるように押し込むことで、吸入した内容物を、フィルタを通過させることなく連通開口を通じて直接注出することができる。
従って、異物の混入が抑制された内容物を所望する量だけ確実に注出することができ、異物の影響を受けることなく内容物の検査を正確に行うことができる。また、内容物の吸入後、収容容器から計量器を引き上げるだけで、濾過筒をシリンジから自然に離脱させることができるので、濾過筒を取り外す手間を省くことができ、操作性に優れている。さらに、内容物の吸入後、濾過筒に全く触れる必要がないので、例えば人手を介して異物がシリンジ側に付着することも防止できる。
【０００９】
（２）前記シリンジ及び前記プランジャのうちのいずれか一方には、他方に形成された被係止部に係止されることにより、前記シリンジ及び前記プランジャの相対的な軸方向の移動量を規制する規制部が形成されていても良い。
【００１０】
この場合には、シリンジ及びプランジャの相対的な軸方向の移動量を規制できるので、より正確に内容物をシリンジ内に吸入することができると共に、吸入した内容物をより正確に注出することができる。従って、内容物の検査精度をさらに向上することができる。
【００１１】
（３）前記収容容器の内側には、前記濾過筒が係止されることにより、前記収容容器及び前記計量器を相対的に位置決めさせる位置決め部が設けられていても良い。
【００１２】
この場合には、収容容器と計量器とを相対的に位置決めできるので、両者を安定して組み合わせることができると共に、シリンジを収容容器に対して正確に位置決めできる。従って、シリンジ内への内容物の吸入をより安定且つ正確に行い易い。
【発明の効果】
【００１３】
本発明に係る検査キットによれば、吸入した内容物に異物が混入することを抑制することができると共に、定量の内容物を注出して、異物の影響を受けることなく内容物の検査を正確に行うことができる。
【図面の簡単な説明】
【００１４】
【図１】本発明に係る検査キットの第１実施形態を示す図であって、収容容器内に計量器を差し込んでセットした状態における縦断面図である。
【図２】収容容器内に計量器を差し込む直前の状態を示す縦断面図である。
【図３】図１に示す収容容器の縦断面図である。
【図４】図１に示す計量器の縦断面図である。
【図５】図４に示す濾過筒の縦断面図である。
【図６】図５に示す濾過筒の上面図である。
【図７】図１に示す検査キットで用いられる検査薬容器の縦断面図である。
【図８】図１に示す状態から、プランジャを押し込んだ状態を示す縦断面図である。
【図９】図８に示す状態から、プランジャが上方に移動して、混合液をシリンジ内に吸入している状態を示す縦断面図である。
【図１０】検査キットの拡大断面図であって、空気置換を行っている状態を示す図である。
【図１１】図９に示す状態から、収容容器から計量器を引き上げている状態を示す縦断面図である。
【図１２】図１１に示す状態から、シリンジ内に吸入した混合液を検査薬に滴下している状態を示す縦断面図である。
【図１３】空気置換を行う場合の変形例を示す図である。
【図１４】本発明に係る検査キットの第２実施形態を示す図であって、収容容器内に計量器を差し込む直前の状態を示す縦断面図である。
【図１５】図１４に示す交換具の縦断面図である。
【図１６】図１４に示す共通具における共通シリンジの半縦断面図である。
【図１７】図１６に示す共通シリンジの下面図である。
【図１８】図１４に示す共通具における共通プランジャの半縦断面図である。
【図１９】図１８に示す共通プランジャの下面図である。
【発明を実施するための形態】
【００１５】
以下、本発明に係る検査キットの第１実施形態について、図面を参照して説明する。
＜第１実施形態＞
〔検査キットの構成〕
図１及び図２に示すように、本実施形態の検査キット１は、混合液（内容物）Ｗが収容される収容容器２と、収容容器２の内側に離脱自在に組み合わされ、混合液Ｗを吸入及び注出可能な計量器３と、を備えている。
【００１６】
収容容器２及び計量器３は、それぞれの中心軸線が共通軸線上に位置した状態で配設されている。本実施形態では、この共通軸を単に軸線Ｏといい、この軸線Ｏに沿った計量器３側を上側、収容容器２側を下側とする。また、軸線Ｏに直交する方向を径方向といい、軸線Ｏ回りに周回する方向を周方向という。
【００１７】
なお、本実施形態では、収容容器２内に予め収容されている溶解液Ｗ１中に検査対象である検体Ｗ２を投入して溶解させることで混合液Ｗを作製し、その後、計量器３を利用して混合液Ｗを検査薬Ｗ３（図７参照）内に滴下し、検査薬Ｗ３との反応等を分析することで検体Ｗ２の検査を行う場合を例に挙げて説明する。
上記検体Ｗ２としては、例えば、生体（患者等）から採取した生体試料や、薬物、毒物等の特定試料等が挙げられる。
【００１８】
（収容容器）
図１〜図３に示すように、収容容器２は、有底円筒状の容器本体１０と、容器本体１０の開口部を塞ぐ蓋体２０と、を備えている。なお、収容容器２の内部には、予め溶解液Ｗ１が収容されている。
容器本体１０の胴部は、底部１１側に位置する下胴部１２Ａと、下胴部１２Ａの上方に位置し、下胴部１２Ａよりも拡径した上胴部１２Ｂとで、２段階に径が変化した２段筒とされている。なお、上胴部１２Ｂの上端部は、さらに上方に向かうにしたがって漸次径方向外側に拡がった形状とされている。
【００１９】
収容容器２の内側には、計量器３が差し込まれたときに、後述する濾過筒５０が係止する係止突起（保持部）１３が形成されている。
この係止突起１３は、下胴部１２Ａと上胴部１２Ｂとの接続部分付近に配置され、径方向内側に向かって突出するように環状に形成されている。そして、この係止突起１３は、計量器３が収容容器２から離脱するときに、係止した濾過筒５０を保持して後述するシリンジ３０から離脱させることが可能とされている。
【００２０】
さらに、収容容器２の内側には、後述する濾過筒５０が係止されることにより、収容容器２及び計量器３を相対的に位置決めさせるガイド板（位置決め部）１４が形成されている。
このガイド板１４は、軸線Ｏ方向から見た平面視で十字状に配置されるように、容器本体１０の底部１１上に立設されている。なお、ガイド板１４は容器本体１０の下胴部１２Ａに一体的に接続されている。ガイド板１４の上端部のうち、収容容器２の中心側（軸線Ｏ側）に位置する部分には、下胴部１２Ａに接続されている部分よりも下方に凹んだ凹部１４ａが形成されている。
【００２１】
凹部１４ａは、容器本体１０の底部１１と平行になるように形成されている。そして、この凹部１４ａ内に濾過筒５０の下端部を離脱自在に嵌合させることが可能とされている（図１参照）。ガイド板１４の凹部１４ａ内に濾過筒５０の下端部を嵌合させることで、濾過筒５０を径方向及び上下方向に位置決めすることができ、収容容器２及び計量器３を相対的に位置決めさせることが可能とされている。
なお、凹部１４ａと上述した係止突起１３との間の軸線Ｏに沿った長さＬ（図３参照）は、濾過筒５０の軸線Ｏに沿った長さと略等しい。
【００２２】
蓋体２０は、容器本体１０における上胴部１２Ｂの上方開口端上に重なる蓋板２１と、蓋板２１から下方に向けて突出すると共に、上胴部１２Ｂの内側に例えばアンダーカット嵌合する嵌合筒２２と、を備えている。
蓋板２１と上胴部１２Ｂの上端部とはヒンジ部２３を介して接続されている。これにより、蓋体２０は、ヒンジ部２３回りに回動することで、容器本体１０の開口部を閉塞又は開放することが可能とされている。
【００２３】
（計量器）
計量器３は、図１、図２及び図４に示すように、混合液Ｗを吸入及び注出させる連通開口３１が形成されたシリンジ３０と、シリンジ３０内に上下方向（軸方向）に摺動自在に挿入されたプランジャ４０と、混合液Ｗを濾過するフィルタ５１を有し、該フィルタ５１が連通開口３１を覆うようにシリンジ３０に離脱自在に外嵌された濾過筒５０と、を備えている。
【００２４】
シリンジ３０は、内側が計量室Ｒとされた有底筒状の第１シリンジ部３２と、第１シリンジ部３２よりも上方に配設された円筒状の第２シリンジ部３３と、第２シリンジ部３３よりも上方に配設された円筒状の第３シリンジ部３４と、第３シリンジ部３４よりも上方に配設された規制筒３５と、を備えている。
【００２５】
第１シリンジ部３２の底部（先端部）３２ａは、下方に向かうにしたがって漸次縮径するように形成され、窄まった形状とされている。上記連通開口３１は、この第１シリンジ部３２の底部３２ａに軸線Ｏに沿って形成され、計量室Ｒと外部とを連通している。
第２シリンジ部３３は、第１シリンジ部３２の上端部に接続され、第１シリンジ部３２よりも外径及び内径が拡径するように形成されている。第２シリンジ部３３の上端部には、径方向外側に向けて突出した環状壁３６が形成されている。
【００２６】
第３シリンジ部３４は、環状壁３６を介して第２シリンジ部３３の上端部に接続され、第２シリンジ部３３よりも外径及び内径が拡径するように形成されている。第３シリンジ部３４の上端部には、径方向外側に向けて突出した環状のフランジ部３４ａが形成されている。なお、このフランジ部３４ａは、収容容器２における容器本体１０よりも上方に位置している。
【００２７】
規制筒３５は、第３シリンジ部３４よりも拡径した周壁部３５ａと、周壁部３５ａの上端部に接続されると共に、プランジャ４０を挿通させる挿通孔３７が形成された頂壁部３５ｂと、周壁部３５ａの下端部から径方向外側に向けて突出した環状の当接壁３５ｃと、を備え、一対の連結壁３８を介して第３シリンジ部３４のフランジ部３４ａに接続されている。
【００２８】
一対の連結壁３８は、周方向に沿って円弧状に形成されており、軸線Ｏを挟んで径方向に向かい合うように配置されている。なお、各図面では、１つの連結壁３８だけを図示している。連結壁３８の下端部は、第３シリンジ部３４におけるフランジ部３４ａの外周縁に沿って接続され、連結壁３８の上端部は、頂壁部３５ｂに形成された挿通孔３７の開口縁に沿って接続されている。従って、一対の連結壁３８の間には周方向に隙間が形成されている。
当接壁３５ｃは、第３シリンジ部３４のフランジ部３４ａと略同じ高さに位置していると共に、収容容器２における容器本体１０の上方開口端上に当接可能とされている。
【００２９】
プランジャ４０は、第１シリンジ部３２の内側に配設されたプランジャ本体４１と、プランジャ本体４１の上端部に接続され、プランジャ本体４１よりも拡径した第１プランジャ軸４２と、第１プランジャ軸４２の上端部に接続され、第１プランジャ軸４２よりも拡径した第２プランジャ軸４３と、を備えている。
【００３０】
プランジャ本体４１は、中実の円柱状に形成され、第１シリンジ部３２の内側に液密且つ摺動自在に挿入されている。このプランジャ本体４１と第１シリンジ部３２とで囲まれた空間が計量室Ｒとされている。
第１プランジャ軸４２は、第２シリンジ部３３及び第３シリンジ部３４の内径よりも縮径した円筒状に形成されている。第２プランジャ軸４３は、円筒状に形成されており、第３シリンジ部３４の内側に摺動自在に挿入されている。この第２プランジャ軸４３は、規制筒３５の頂壁部３５ｂに形成された挿通孔３７を通じて、規制筒３５よりも上方に突出するように形成されている。
【００３１】
なお、図示の例では、第１プランジャ軸４２及び第２プランジャ軸４３が円筒状に形成されているが、この形状に限定されるものではない。例えば、プランジャ本体４１と同様に中実の円柱状に形成されていても良いし、横断面視十字状に形成されていても良い。
【００３２】
第２プランジャ軸４３の上端部には、径方向外側に向けて突出した環状の操作片４４が形成されている。これにより、操作片４４を利用して、シリンジ３０に対してプランジャ４０を相対的に上下に移動させることが可能とされている。
【００３３】
第３シリンジ部３４の内側には、プランジャ４０を上方に付勢するコイルスプリング４５が配設されている。
このコイルスプリング４５は、第１プランジャ軸４２を径方向外側から囲むようにプランジャ４０に被せられており、下端部が環状壁３６に接し、上端部が第１プランジャ軸４２と第２プランジャ軸４３との接続部分に接している。これにより、コイルスプリング４５は、プランジャ４０とシリンジ３０との間に挟まれて上下方向に圧縮されており、シリンジ３０に対してプランジャ４０を上方に付勢している。
但し、このコイルスプリング４５は必須なものではなく、具備しなくても構わない。
【００３４】
第２プランジャ軸４３には、規制筒３５における頂壁部３５ｂ及びフランジ部３４ａにそれぞれ係止されることによって、シリンジ３０及びプランジャ４０の相対的な上下方向の移動量を規制する一対の規制突片（規制部）４６が形成されている。
一対の規制突片４６は、頂壁部３５ｂとフランジ部３４ａとの間であって、且つ軸線Ｏを挟んで径方向に向かい合うように配置されている。このとき、一対の規制突片４６は、周方向に隣り合う一対の連結壁３８の間に形成された隙間を利用して配置されている。従って、規制突片４６と連結壁３８とは、周方向に交互に配置されている。
【００３５】
一対の規制突片４６は、第２プランジャ軸４３から径方向外側に向けて突出した根元部４６ａと、根元部４６ａから上方に向けて折り曲げられた先端部４６ｂと、を有している。先端部４６ｂは、根元部４６ａとの接続部分から上方に向かうにしたがって漸次径方向外側に向かうように形成され、規制筒３５の頂壁部３５ｂに対して下方から接することで係止されている。
【００３６】
このように、一対の規制突片４６の先端部４６ｂが頂壁部３５ｂに下方から係止されるので、プランジャ４０はシリンジ３０に対して上方への抜け止めがされていると共に、それ以上の上方への移動が規制されている。また、シリンジ３０に対してプランジャ４０を下方に移動させた際、一対の規制突片４６の根元部４６ａがフランジ部３４ａに対して上方から係止されるので、それ以上の下方への移動が規制されている（図８参照）。
【００３７】
このように、一対の規制突片４６の先端部４６ｂが頂壁部３５ｂに接するように係止され、且つ一対の規制突片４６の根元部４６ａがフランジ部３４ａに接するように係止されることで、シリンジ３０及びプランジャ４０の相対的な上下方向の移動量（ストローク）を規制することが可能とされている。
なお、図示の例では、上記移動量は、一対の規制突片４６における根元部４６ａとフランジ部３４ａとの間の距離Ｓとなる（図４参照）。なお、規制筒３５における頂壁部３５ｂ及びフランジ部３４ａは、一対の規制突片４６が係止される被係止部としてそれぞれ機能する。
【００３８】
図４〜図６に示すように、上記濾過筒５０は、第１シリンジ部３２及び第２シリンジ部３３を径方向外側から囲む円筒状に形成され、シリンジ３０に対して下方から被せられて第２シリンジ部３３に離脱自在に外嵌されている。この際、濾過筒５０は、シリンジ３０の環状壁３６に下方から接することで、上下方向に位置決めされた状態で第２シリンジ部３３に対して外嵌されている。
【００３９】
濾過筒５０の下方開口端には、該濾過筒５０を塞ぐようにフィルタ５１が例えば接着や溶着等によって固着されている。このフィルタ５１は、シリンジ３０よりも下方に配置されており、連通開口３１を下方から覆っている。
なお、フィルタ５１としては、混合液Ｗを濾過できれば良く、例えば微小孔が無数に形成された、金属製、樹脂製或いは紙製のメッシュ部材等が挙げられる。
【００４０】
濾過筒５０の上端部には、径方向外側に向けて突出した環状の鍔部５２が形成されている。この鍔部５２は、収容容器２に形成された係止突起１３に対して例えばアンダーカット嵌合可能とされている（図１参照）。これにより、濾過筒５０は収容容器２に対して係止されている。
【００４１】
鍔部５２の外周縁には、空気置換用の空気孔５３が鍔部５２を貫通するように形成されている。図示の例では、空気孔５３は周方向に間隔をあけて４つ形成されている。但し、空気孔５３の数は４つに限定されるものではなく、適宜変更して構わない。  
また、濾過筒５０の上端部側の内周面には、空気置換用の縦溝５４が鍔部５２に亘って形成されている。図示の例では、縦溝５４は周方向に間隔をあけて４つ形成されている。この際、縦溝５４は空気孔５３に対して周方向に位置がずれた状態で形成されている。但し、縦溝５４の数は４つに限定されるものではなく、適宜変更して構わない。  
【００４２】
〔検査キットの使用〕
次に、上述したように構成された検査キット１を利用して検体Ｗ２の検査を行う場合について説明する。この検査は、先に説明したように、図７に示す検査薬容器６０内に収容されている検査薬Ｗ３を用いて行う。
【００４３】
ここで、検査薬容器６０について簡単に説明する。
検査薬容器６０は、内部に検査薬Ｗ３が収容された有底筒状の容器体６１と、容器体６１の上方開口端にシールされ、容器体６１の内部を閉塞するシール材６２と、を備えている。シール材６２は、例えば容易破断可能な軟材質の例えばシートやフィルム等である。但し、シール材６２は、容易破断に限定されるものではなく、例えば容器体６１から剥離可能に構成されていても構わない。
なお、検査薬Ｗ３としては、液状、粒状、粉状やゼリー状等でも良く、検査対象に応じて適宜選択して構わない。図示の例では、液状の検査薬Ｗ３としている。
【００４４】
次いで、検査を行う場合について説明する。
はじめに、図３に示すように、収容容器２の蓋体２０を開けて、予め内部に収容されている溶解液Ｗ１中に例えば生体等から採取した検体Ｗ２を投入する。その後、蓋体２０を閉めた後、収容容器２を振る等して溶解液Ｗ１を攪拌させ、溶解液Ｗ１中に検体Ｗ２が溶解した混合液Ｗを作製する。
【００４５】
混合液Ｗの作製後、再度蓋体２０を開け、図１に示すように、容器本体１０内に上方から計量器３を差し込むように挿入する。この際、濾過筒５０の下端部を収容容器２の内部に形成されたガイド板１４の凹部１４ａ内に嵌合させるまで挿入を行う。濾過筒５０を凹部１４ａに嵌合させることによって、濾過筒５０を径方向及び上下方向に位置決めすることができ、収容容器２に対して計量器３を相対的に位置決めした状態で、収容容器２と計量器３とを互いに組み合わせることができる。
【００４６】
また、収容容器２と計量器３とを組み合わせた際、濾過筒５０の鍔部５２が収容容器２に形成された係止突起１３を上方から乗り越えてアンダーカット嵌合される。これにより、係止突起１３は、濾過筒５０を係止して保持した状態となる。
さらに、収容容器２と計量器３とを組み合わせることで、混合液Ｗがフィルタ５１を通して濾過筒５０内に進入するので、シリンジ３０が混合液Ｗ中に浸漬された状態となる。このとき、例えば検体Ｗ２の投入時に異物（塵埃、不純物等）が一緒に投入されることで、混合液Ｗ中に異物が意図せずに混入されてしまったとしても、異物をフィルタ５１で濾過して除去できるので、異物の混入が抑制された混合液Ｗだけを濾過筒５０内に進入させることができる。
【００４７】
次いで、図８に示すように、コイルスプリング４５に抗するように操作片４４を押し込んで、シリンジ３０に対してプランジャ４０を下方に移動（前進）させる。この際、一対の規制突片４６の根元部４６ａがフランジ部３４ａに接して係止されるまでプランジャ４０を下方に移動させる。
【００４８】
プランジャ４０を下方に移動させた後、プランジャ４０の押し込みを解除すると、コイルスプリング４５がプランジャ４０を上方に付勢するので、シリンジ３０に対してプランジャ４０を上方に移動（後退）させることができる。これにより、図９に示すように、連通開口３１を通じて計量室Ｒ内に混合液Ｗを吸入することができる。
【００４９】
このとき、濾過筒５０内に進入している混合液Ｗを吸入することができると共に、新たにフィルタ５１を通過した混合液Ｗを矢印に示すように吸入することができる。いずれにしても、フィルタ５１を通過した混合液Ｗだけを吸入するので、シリンジ３０の計量室Ｒ内に吸入した混合液Ｗに異物が混入することを抑制することができる。
【００５０】
なお、上方に移動したプランジャ４０は、一対の規制突片４６の先端部４６ｂが規制筒３５の頂壁部３５ｂに接して係止されることで、移動が規制されて停止する。従って、計量室Ｒ内に所望する量の混合液Ｗを確実に吸入することができる。
【００５１】
ところで、収容容器２に計量器３を挿入してから、計量室Ｒ内に混合液Ｗを吸入するまでの間、収容容器２の内部及び濾過筒５０の内部の圧力が適宜変化する。このとき、図１０に示すように、空気孔５３及び縦溝５４を通じて空気を矢印に示すように移動させることができるので、空気置換を適宜行うことができる。従って、内圧変化に対応でき、混合液Ｗの吸入を安定して行うことができる。
【００５２】
混合液Ｗの吸入後、図１１に示すように、収容容器２から計量器３の引き上げを行う。このとき、収容容器２の係止突起１３が濾過筒５０を係止しているので、濾過筒５０をシリンジ３０から離脱させることができる。これにより、計量器３のうち、シリンジ３０及びプランジャ４０だけを収容容器２から引き上げることができる。
【００５３】
シリンジ３０及びプランジャ４０を引き上げた後、図１２に示すように、シール材６２を破断しながら、シリンジ３０を検査薬容器６０内に押し込む。その後、コイルスプリング４５に抗するように操作片４４を押し込んで、シリンジ３０に対してプランジャ４０を再度下方に移動（前進）させる。この際、一対の規制突片４６の根元部４６ａがフランジ部３４ａに接して係止されるまでプランジャ４０を下方に移動させる。
これにより、計量室Ｒによって計量された混合液Ｗを、フィルタ５１を通過させることなく連通開口３１を通じて直接注出することができる。従って、異物の混入が抑制された定量の混合液Ｗを検査薬容器６０内に確実に滴下することができる。
【００５４】
その後、検査薬Ｗ３に対する混合液Ｗ中の検体Ｗ２の反応等を分析することで、検体Ｗ２の検査を行うことができる。特に、混合液Ｗへの異物の混入が抑制されているので、異物の影響を受けることなく検体Ｗ２の検査を正確に行うことができる。
【００５５】
以上説明したように、本実施形態の検査キット１によれば、シリンジ３０内に吸入した混合液Ｗに異物が混入することを抑制することができると共に、吸入した混合液Ｗを定量に注出でき、異物の影響を受けることなく検体Ｗ２の検査を正確に行うことができる。
また、混合液Ｗの吸入後、収容容器２から計量器３を引き上げるだけで、濾過筒５０をシリンジ３０から自然に離脱させることができるので、濾過筒５０を取り外す手間を省くことができ、操作性に優れている。
【００５６】
また、一対の規制突片４６を利用して、シリンジ３０及びプランジャ４０の相対的な上下方向の移動量を規制できるので、正確に混合液Ｗをシリンジ３０内に吸入することができると共に、吸入した混合液Ｗを正確に注出することができる。従って、より正確な量の混合液Ｗを注出でき、検体Ｗ２の検査精度を向上することができる。
【００５７】
さらに、ガイド板１４を利用して、収容容器２と計量器３とを相対的に位置決めできるので、両者を安定して組み合わせることができると共に、シリンジ３０を収容容器２に対して安定且つ正確に位置決めできる。従って、シリンジ３０内への内容物の吸入を安定且つ正確に行い易い。
【００５８】
（変形例）
なお、上述した第１実施形態では、空気置換を行うために、濾過筒５０に空気孔５３及び縦溝５４をそれぞれ形成したが、この場合に限定されるものではない。
例えば、図１３に示すように、濾過筒５０に空気孔５３だけを形成し、シリンジ３０側に空気通過用の縦溝６５を形成しても良い。図示の例では、縦溝６５は環状壁３６の下面側から第２シリンジ部３３の外周面側に亘って連続して形成されている。この場合であっても、空気置換を同様に行うことが可能である。
【００５９】
＜第２実施形態＞
次に、本発明に係る検査キットの第２実施形態について説明する。
第１実施形態との異なる点は、第１実施形態では、計量器３が１回使用する毎に交換する使い切りタイプであったが、第２実施形態では、計量器の一部だけを交換することで使用し続けることができる取り替えタイプとされている点である。
なお、この第２実施形態においては、第１実施形態における構成要素と同一の部分については、同一の符号を付しその説明を省略する。
【００６０】
図１４に示すように、本実施形態の検査キット７０は、共通具８０Ａ、及び共通具８０Ａに離脱自在に装着される交換具８０Ｂを有する計量器８０を備えている。
共通具８０Ａは、共通シリンジ９０及び共通プランジャ１００を備え、交換具８０Ｂの上方に配設されている。交換具８０Ｂは、共通シリンジ９０に離脱自在に装着される交換シリンジ１１０と、共通プランジャ１００に離脱自在に装着される交換プランジャ１２０と、濾過筒５０と、を備えている。
【００６１】
なお、共通シリンジ９０及び交換シリンジ１１０が計量器８０としてのシリンジ８１を構成し、共通プランジャ１００及び交換プランジャ１２０が計量器８０としてのプランジャ８２を構成する。
【００６２】
（交換具）
交換具８０Ｂについて説明する。
図１５に示すように、交換シリンジ１１０は、内側が計量室Ｒとされ、底部１１１ａに連通開口３１が形成された有底筒状の第１交換シリンジ部１１１と、第１交換シリンジ部１１１よりも上方に配設された円筒状の第２交換シリンジ部１１２と、を備えている。
【００６３】
第２交換シリンジ部１１２は、第１交換シリンジ部１１１の上端部に接続され、第１交換シリンジ部１１１よりも外径及び内径が拡径するように形成されている。第２交換シリンジ部１１２の上端部には、径方向外側に向けて突出した環状の装着フランジ１１３が形成されている。第２交換シリンジ部１１２の外周面には、上下方向の略中間部分から径方向外側に向けて環状のストッパ壁１１４が形成されていると共に、このストッパ壁１１４から第１交換シリンジ部１１１との接続部分に亘って上下方向に延在した縦リブ１１５が周方向に間隔をあけて複数形成されている。
なお、周方向に隣り合う縦リブ１１５の間は、空気置換用の空気通路とされている。
【００６４】
交換プランジャ１２０は、第１交換シリンジ部１１１の内側に配設されたプランジャ本体１２１と、プランジャ本体１２１の上端部に接続された交換プランジャ軸１２２と、を備えている。
プランジャ本体１２１は、中実の円柱状に形成されており、第１交換シリンジ部１１１の内側に液密且つ摺動自在に挿入されている。このプランジャ本体１２１と第１交換シリンジ部１１１とで囲まれた空間が計量室Ｒとされている。
【００６５】
交換プランジャ軸１２２は、上下方向に延在した横断面視十字状に形成されており、第２交換シリンジ部１１２の内側に配設されている。交換プランジャ軸１２２は、第２交換シリンジ部１１２よりも上方に突出するように形成されている。そして、交換プランジャ軸１２２の上端部には、平面視円形状の装着板１２３が接続されている。なお、装着板１２３の外径は、交換シリンジ１１０における装着フランジ１１３の外径と略同径とされている。
【００６６】
本実施形態の濾過筒５０は、縦リブ１１５を介して第２交換シリンジ部１１２に離脱自在に外嵌されている。このとき、濾過筒５０の鍔部５２は、ストッパ壁１１４に下方から接している。これにより、濾過筒５０は、上下方向に位置決めされた状態で第２交換シリンジ部１１２に外嵌されている。
なお、周方向に隣り合う縦リブ１１５の間、及び濾過筒５０の縦溝５４を通じて空気置換を行うことが可能とされている。
【００６７】
（共通具）
共通具８０Ａについて説明する。
図１６及び図１７に示すように、共通シリンジ９０は、交換シリンジ１１０を保持する第１共通シリンジ部９１と、第１共通シリンジ部９１よりも上方に配設された円筒状の第２共通シリンジ部９２と、第２共通シリンジ部９２よりも上方に配設された規制筒３５と、を備えている。
【００６８】
第１共通シリンジ部９１は、横断面視Ｕ字状に形成され、径方向に開口した周壁部９１ａと、周壁部９１ａの下端部に接続された底壁部９１ｂと、を備えている。
底壁部９１ｂには、周壁部９１ａと同じ方向に開口すると共に、第２交換シリンジ部１１２及び装着フランジ１１３を径方向からスライド挿入可能な平面視Ｕ字状のスライド溝９３が形成されている。
【００６９】
第２共通シリンジ部９２は、上記周壁部９１ａの上端部に接続されている。この第２共通シリンジ部９２の上端部には、一対の連結壁３８を介して規制筒３５が接続されている。なお、本実施形態の規制筒３５は、当接壁３５ｃを具備していない。
【００７０】
図１４、図１８及び図１９に示すように、共通プランジャ１００は、交換プランジャ１２０を保持する保持プレート１０１と、保持プレート１０１の上面に接続された横断面視十字状の共通プランジャ軸１０２と、を備えている。
保持プレート１０１には、交換プランジャ軸１２２及び装着板１２３を径方向からスライド挿入可能な平面視Ｕ字状のスライド溝１０３が形成されている。
【００７１】
共通プランジャ軸１０２は、下端部が第１共通シリンジ部９１内に配設され、上端部が規制筒３５よりも上方に突出するように配設されている。共通プランジャ軸１０２の上端部には操作片４４が形成されている。また、共通プランジャ軸１０２には、一対の規制突片４６が形成されている。
さらに、共通プランジャ軸１０２と第２共通シリンジ部９２との間には、共通プランジャ１００を上方に付勢するコイルスプリング４５が配設されている。
【００７２】
上述したように、本実施形態の計量器８０は交換具８０Ｂ及び共通具８０Ａを備えているので、図１４に示すように、共通具８０Ａにおける共通シリンジ９０のスライド溝９３及び共通プランジャ１００のスライド溝１０３内に、交換具８０Ｂにおける交換シリンジ１１０の装着フランジ１１３及び交換プランジャ１２０の装着板１２３をそれぞれ径方向からスライド挿入させることで、交換具８０Ｂを共通具８０Ａに、容易且つ確実に装着することが可能とされている。
また、その逆の動作を行うことで、共通具８０Ａから交換具８０Ｂを取り外して、例えば交換具８０Ｂだけを交換することが可能とされている。
【００７３】
本実施形態の検査キット７０によれば、第１実施形態と同様の作用効果を奏功することができる。それに加え、計量器８０が共通具８０Ａと交換具８０Ｂとで構成されているので、例えば検体Ｗ２の検査を行う毎に交換具８０Ｂだけを交換することが可能である。従って、維持、管理を低コストで行い易い。
なお、本実施形態では、共通プランジャ軸１０２及び交換プランジャ軸１２２を横断面視十字状に形成したが、この形状に限定されるものではなく、例えば円筒状や円柱状に形成しても構わない。
【００７４】
なお、本発明の技術範囲は、上記実施形態に限定されるものではなく、本発明の趣旨を逸脱しない範囲において、種々の変更を加えることが可能である。
【００７５】
例えば、上記各実施形態では、溶解液Ｗ１中に検体Ｗ２が溶解した混合液Ｗを内容物としたが、この場合に限定されるものではなく、例えば収容容器２が予め空の状態とされ、検査対象となる内容液を収容容器２内に投入するような使い方をしても良い。この場合には、内容液が内容物となる。
なお、内容物としては、液体に限定されるものではなく、例えば粉状や粒子状でも良いいし、或いは形を保持する程度のゼリー状でも良い。
【００７６】
また、各実施形態では、コイルスプリング４５を具備したが、コイルスプリング４５は必須ではなく、具備しなくても構わない。この場合には、手動でプランジャを引き上げれば良い。
【符号の説明】
【００７７】
Ｗ…混合液（内容物）
１、７０…検査キット
２…収容容器
３、８０…計量器
１３…係止突起（保持部）
１４…ガイド板（位置決め部）
３０、８１…シリンジ
３１…連通開口
３４ａ…フランジ部（被係止部）
３５ｂ…頂壁部（被係止部）
４０、８２…プランジャ
４６…規制突片（規制部）
５０…濾過筒
５１…フィルタ
【図１】
2015125123.tif 000003
【図２】
2015125123.tif 000004
【図３】
2015125123.tif 000005
【図４】
2015125123.tif 000006
【図５】
2015125123.tif 000007
【図６】
2015125123.tif 000008
【図７】
2015125123.tif 000009
【図８】
2015125123.tif 000010
【図９】
2015125123.tif 000011
【図１０】
2015125123.tif 000012
【図１１】
2015125123.tif 000013
【図１２】
2015125123.tif 000014
【図１３】
2015125123.tif 000015
【図１４】
2015125123.tif 000016
【図１５】
2015125123.tif 000017
【図１６】
2015125123.tif 000018
【図１７】
2015125123.tif 000019
【図１８】
2015125123.tif 000020
【図１９】
2015125123.tif 000021